(57)【要約】【課題】特別な保管場所が要らず、人力で簡単に、かつ短時間で設置したり撤去したりすることができ、しかも、通常型のバッテリケースを用いることができる上、車高を高くする必要がなくなるようにしたバッテリカーのバッテリテーブルを提供することを目的とする。【解決手段】前記バッテリカバー１２の下部を車体２に枢着してバッテリルーム９の出入口１１を閉じる閉位置と上縁部が車体２の一横側に水平に張出して出入口１１を開放する開位置とにわたって起伏させる。このバッテリカバー１２と開位置に位置するバッテリカバー１２の上側に所定の間隔を置いて回転自在に設けられるローラ１５と、バッテリカバー１２を開位置に保持する支持手段１６とを備える。【選択図】　図１
2004091081.tif 000002
【特許請求の範囲】
【請求項１】
車体内に設けられ、一横側面に形成した出入口により車体外に開放されたバッテリルームと、該出入口を開閉するバッテリカバーとを備えるバッテリカーのバッテリテーブルにおいて、
前記バッテリカバーが前記出入口を閉じる閉位置と上縁部が車体の一横側に水平に張出して前記出入口を開放する開位置とにわたって起伏するように、該バッテリカバーの下部が車体に枢着され、このバッテリカバーと、開位置に位置する該バッテリカバーの上側に該バッテリカバーの張出し方向に所定の間隔を置いて回転自在に設けられる所定数のローラと、該バッテリカバーを開位置に保持する支持手段とを備えることを特徴とするバッテリカーのバッテリテーブル。
【請求項２】
前記支持手段が前記バッテリカバーに回転可能に枢着され、該バッテリカバーを床又は地面に支承させる支持脚からなることを特徴とする請求項１に記載されたバッテリカーのバッテリテーブル。
【請求項３】
前記支持手段が前記バッテリカバーの厚さ方向にスライド可能に該バッテリカバーに支持され、該バッテリカバーを床又は地面に支承させる支持脚からなることを特徴とする請求項１に記載されたバッテリカーのバッテリテーブル。
【請求項４】
前記支持手段が前記バッテリカバーを開位置に吊り下げる吊持手段からなることを特徴とする請求項１に記載されたバッテリカーのバッテリテーブル。
【請求項５】
バッテリカバーを閉位置に位置させた時に車体内に隠れる位置に設けられ、前記バッテリカバーを閉位置に固定するロック手段と、このロック手段の固定作用を車体外から操作して解除する解除手段とが設けられることを特徴とする請求項１ないし４のいずれか１項に記載されたバッテリカーのバッテリテーブル。
【請求項６】
車体内に設けられ、一横側面に形成した出入口により車体外に開放されたバッテリルームと、該出入口を開閉するバッテリカバーとを備えるバッテリカーのバッテリテーブルにおいて、
前記バッテリカバーが前記出入口を閉じる閉位置とその上縁部が車体の一横側に水平に張出して前記出入口を開放する開位置とにわたって起伏するように、該バッテリカバーの下部が車体に枢着され、このバッテリカバーと、開位置に位置する該バッテリカバーの上側に収納される収納位置と開かれた該バッテリカバーの一横側方に更に張出す延出位置とにわたって移動するように該バッテリカバーに支持させた延長フレームと、開位置に位置する前記バッテリカバー及び延出位置に位置する前記延長フレームの上側にこれらの張出し方向に所定の間隔を置いて回転自在に設けられる所定数のローラと、前記バッテリカバーを開位置に保持すると共に、前記延長フレームを延出位置に保持する支持手段とを備えることを特徴とするバッテリカーのバッテリテーブル。
【請求項７】
前記延長フレームが収納位置と延出位置とにわたって回転可能にバッテリカバーに支持されることを特徴とする請求項６に記載されたバッテリカーのバッテリテーブル。
【請求項８】
前記延長フレームが収納位置と延出位置とにわたってスライド可能にバッテリカバーに支持されることを特徴とする請求項６に記載されたバッテリカーのバッテリテーブル。
【請求項９】
前記支持手段が、延出位置に位置する延長フレームの先端部を床又は地面に支承させる支持脚からなることを特徴とする請求項６ないし８のいずれか１項に記載されたバッテリカーのバッテリテーブル。
【請求項１０】
前記支持手段が、延出位置に位置する延長フレームの先端部を床又は地面に支承させる支持脚と、開位置に位置するバッテリカバーの先端部を床又は地面に支承させる支持脚とを備えることを特徴とする請求項６ないし９のいずれか１項に記載されたバッテリカーのバッテリテーブル。
【請求項１１】
前記支持手段が、延出位置に位置する延長フレームを車体に吊持させる吊持手段からなることを特徴とする請求項６ないし８のいずれか１項に記載されたバッテリカーのバッテリテーブル。
【請求項１２】
前記支持手段が、延出位置に位置する延長フレームと開位置に位置するバッテリカバーとを車体に吊持する吊持手段からなることを特徴とする請求項６ないし８あるいは１１のいずれか１項に記載されたバッテリカーのバッテリテーブル。
【請求項１３】
バッテリカバーを閉位置に位置させた時に車体内に隠れる位置に設けられ、前記バッテリカバーを閉位置に固定するロック手段と、このロック手段の固定作用を車体外から操作して解除する解除手段とが設けられることを特徴とする請求項６ないし１０のいずれか１項に記載されたバッテリカーのバッテリテーブル。
【発明の詳細な説明】
【０００１】
【発明の属する技術分野】
本発明は、駆動源としてバッテリを搭載するバッテリカーのバッテリテーブルに関する
【０００２】
【従来の技術】
リーチ型バッテリフォークリフト、歩行操縦型バッテリフォークリフト、センターライド型バッテリフォークリフト、ピッキングリフト、バッテリ搬送車などのバッテリカーとして、車体内に、一横側面に形成した出入口により車体外に開放されたバッテリルームが設けられ、この出入口を開閉するバッテリカバーを備えるものが広く普及している。
【０００３】
この種のバッテリカーにおいては、バッテリを点検したり、交換したりするために、バッテリカバーを開いてからバッテルームの一横側の車体外にバッテリテーブルを設置し、この後、バッテリルームからバッテリを収容するバッテリケースをこのバッテリテーブルの上に引出し、点検が済んだバッテリや交換されたバッテリは、バッテリテーブルからバッテリルームに押し込まれ、この後、バッテリテーブルを撤去して、バッテリカバーが閉じられる。
【０００４】
バッテリリームとバッテリテーブルの間でバッテリケースを容易に押し引きできるようにするため、このバッテリテーブルとバッテリルームの底部にはフリーローラが設けられる。
【０００５】
なお、バッテリカバーは、特に限定されないが、水平に煽って開閉され、閉位置で例えば尾錠により車体に固定される。
【０００６】
実開昭５９−１０５２９８号公報並びに実開昭５９−１７０３９７号公報に記載されているバッテリテーブルは、レール状のフレームとこのフレームの一端部に装着された折り畳み可能な脚とを備え、不使用時には脚を折畳んでバッテリルーム内に収納され、使用時には車体外にスライドさせて、脚を出して地面にフレームを支承させるようにしている。バッテリを収容するバッテリケースは、その下面には前記フレームに転接させるローラを備える特殊型のものを用いたり、下側に前記フレームに転接させるローラを備える台の上に載せたりしている。
【０００７】
【発明が解決しようとする課題】
ところで、一般的にはバッテリテーブルはバッテリカーの車体とは別体に形成され、必要時にのみ車体に組付けており、不要時にこのバッテリテーブルを保管する専用の保管場所が必要とされるという問題がある。
【０００８】
また、このバッテリテーブルはそれなりの重量があるので、どこにでも持ち歩くというわけにはいかず、バッテリ交換をする際には所定の場所にバッテリカーを回送しなければならないという問題もある。
【０００９】
前記実開昭５９−１０５２９８号公報並びに実開昭５９−１７０３９７号公報に記載された従来技術によれば、バッテリテーブルが車体に搭載されるので、これを保管する特別の保管場所は不要になり、どこでもバッテリ交換ができるようになるが、このバッテリテーブルはバッテリ及びバッテリケースの重量がかかった状態でバッテリルームの底面を擦りながら引出す必要があり、到底人力では引出せないという問題がある。
【００１０】
この問題を解決するためにバッテリテーブルのフレームにバッテリルームの底面に転接させるローラを回転自在に支持させることが考えられるが、これによれば車高が高くなるという問題が生じてくる。
【００１１】
又、前記実開昭５９−１０５２９８号公報並びに実開昭５９−１７０３９７号公報に記載された従来技術によれば、下側にローラを備える特殊型バッテリケースや下側にローラを備える台が必要になり、設備費用が高価になるという問題もある。
【００１２】
本発明は、これら従来技術の課題を解決し、特別な保管場所が要らず、人力で簡単に、かつ短時間で設置したり撤去したりすることができ、しかも、通常型のバッテリケースを用いることができる上、車高を高くする必要がなくなるようにしたバッテリカーのバッテリテーブルを提供することを目的とする。
【００１３】
【課題を解決するための手段】
この目的を達成するため、本発明に係るバッテリカーのバッテリテーブルは、車体内に設けられ、一横側面に形成した出入口により車体外に開放されたバッテリルームと、該出入口を開閉するバッテリカバーとを備えるバッテリカーのバッテリテーブルにおいて、前記バッテリカバーが前記出入口を閉じる閉位置と上縁部が車体の一横側に水平に張出して前記出入口を開放する開位置とにわたって起伏するように、該バッテリカバーの下部が車体に枢着され、このバッテリカバーと、開位置に位置する該バッテリカバーの上側に該バッテリカバーの張出し方向に所定の間隔を置いて回転自在に設けられる所定数のローラと、該バッテリカバーを開位置に保持する支持手段とを備えることを特徴とするものである。
【００１４】
これによれば、バッテリテーブルがバッテリカバーと一体になって車体に搭載されるので、バッテリテーブルを保管する特別の保管場所は不要になる。
【００１５】
又、バッテリカバーを開いて支持手段で開位置に保持することによりバッテリテーブルを設置でき、保持手段をバッテリカバーの上に畳んだり、引上げたりしてからバッテリカバーを閉じたり、単にバッテリカバーを閉じたりするだけでバッテリテーブルを車体内に撤去できるので、バッテリテーブルの設置及び撤去を人力で行える上、簡単に、かつ短時間でバッテリテーブルの設置及び撤去ができるようになる。
【００１６】
しかも、バッテリケースの下側にローラを設ける必要がなく、通常型のバッテリケースを用いることができると共に、バッテリテーブルを引出すためにバッテリルームの底面に転接させるローラを設ける必要がないので、車高を高くせずにすむのである。
【００１７】
ところで、本発明の支持手段はバッテリカバーを開位置に保持できるように構成してあればよく、例えば前記支持手段が前記バッテリカバーに回転可能に枢着され、該バッテリカバーを床又は地面に支承させる支持脚で構成することができる。
【００１８】
この支持脚はバッテリカバーの内面に沿う収納位置と、バッテリカバーの外側に突出する支持位置との間で回転させるが、バッテリカバーの戸先を回って例えば２７０°回転するように構成しても、バッテリカバーの外面側で例えば９０°回転する用に構成してもよい。
【００１９】
前者の場合には、不使用時に支持脚をバッテリカバーの内側の収納位置に畳み込んでバッテリカバーを閉じると、支持脚がバッテリカバーで隠されて、バッテリテーブルを装備しない一般的なバッテリカーと同じように外観を簡素にすることができ、後者の場合には収納位置に位置する支持脚の外面をバッテリカバーの外面と統一された面形状に形成することにより、不使用時に違和感の無い優れた外観を得ることができる。
【００２０】
又、前記支持手段は前記バッテリカバーの厚さ方向にスライド可能に該バッテリカバーに支持され、該バッテリカバーを床又は地面に支承させる支持脚で構成してもよい。
【００２１】
この場合、支持脚の外端面が床又は地面に当接する接地面となるが、この外端面をバッテリカバーの外面と統一された面形状にすることにより、不使用時に違和感の無い優れた外観を得ることができる。
【００２２】
更に、前記支持手段は前記バッテリカバーを開位置に吊り下げる吊持手段で構成することができる。この吊持手段としては、一端が車体とバッテリカバーとの一方に回転可能に支持され、他端がその他方に摺動可能にかつ回転可能に連結される棒材又は帯材、一端どうしが回転可能に連結され、他端が車体又はバッテリカバー回転可能に連結される２本の棒材又は帯材、一端が車体とバッテリカバーとの一方に連結され、他端がその他方に係脱される鎖、ワイヤなどの条体、両端が車体とバッテリカバーに連結される鎖、ワイヤなどの条体などがある。
【００２３】
ところで、本発明においては、不使用時に前記バッテリカバーを閉位置に固定することが好ましく、このため、閉位置に位置する前記バッテリカバーを車体に固定する尾錠を設けてもよいが、更に不使用時に車体の外観を改善するために、バッテリカバーを閉位置に位置させた時に車体内に隠れる位置に設けられ、前記バッテリカバーを閉位置に固定するロック手段と、このロック手段の固定作用を車体外から操作して解除する解除手段とが設けられることが更に好ましい。
【００２４】
ところで、前記本発明に係るバッテリカーのバッテリテーブルによれば、車体から張出すバッテリテーブルの長さがバッテリカバーの高さによって制限されるので、これよりもバッテリテーブルの張出し方向の長さが長いバッテリが搭載されるバッテリカーの場合には、バッテリの一部分がバッテリテーブルからはみ出し、作業者が不安に感じるおそれがある。
【００２５】
そこで、前記目的に加えてこの問題を解決するため、本発明に係る他のバッテリカーのバッテリテーブルは、車体内に設けられ、一横側面に形成した出入口により車体外に開放されたバッテリルームと、該出入口を開閉するバッテリカバーとを備えるバッテリカーのバッテリテーブルにおいて、前記バッテリカバーが前記出入口を閉じる閉位置とその上縁部が車体の一横側に水平に張出して前記出入口を開放する開位置とにわたって起伏するように、該バッテリカバーの下部が車体に枢着され、このバッテリカバーと、開位置に位置する該バッテリカバーの上側に収納される収納位置と開かれた該バッテリカバーの一横側方に更に張出す延出位置とにわたって移動するように該バッテリカバーに支持させた延長フレームと、開位置に位置する前記バッテリカバー及び延出位置に位置する前記延長フレームの上側にこれらの張出し方向に所定の間隔を置いて回転自在に設けられる所定数のローラと、前記バッテリカバーを開位置に保持すると共に、前記延長フレームを延出位置に保持する支持手段とを備えるという技術的手段を採用する。
【００２６】
このバッテリカーのバッテリテーブルによれば、延長フレームを収納位置に位置させてバッテリカバーを閉じることによりバッテリテーブルを車体に搭載することができ、バッテリテーブルを保管する特別の保管場所は不要になる。
【００２７】
又、バッテリカバーを開き、延長フレームを延出位置に位置させて、バッテリカバー及び／又は延長フレームを支持手段で開位置及び延出位置に保持することによりバッテリテーブルを設置でき、延長フレームと保持手段とを収納位置に位置させてバッテリカバーを閉じることによりバッテリテーブルを車体内に収納できるので、バッテリテーブルの設置及び撤去を人力で行える上、簡単に、かつ短時間でバッテリテーブルの設置及び撤去ができるようになる。
【００２８】
しかも、バッテリケースの下側にローラを設けた特殊型のバッテリケースやバッテリルームの底面に転接させるローラを備える台を用いる必要がなく、通常型のバッテリケースを用いることができると共に、車高を高くせずにすむのである。
【００２９】
その上、バッテリカバーから更に一横側方に延長フレームを張出すので、バッテリカバーの高さよりも張出し方向への寸法が長いバッテリケース全体をバッテリカバーと延長フレームの上に載せることができ、作業者が不安を感じることがない。
【００３０】
ところで、前記延長フレームは収納位置と延出位置との間で移動できるようにバッテリカバーに支持させてあればよく、例えば、バッテリカバーに収納位置と延出位置との間で回転可能に支持させたり、バッテリカバーに収納位置と延出位置との間でスライド可能に支持させたりすればよい。
【００３１】
前記延長フレームをバッテリカバーに回転可能に支持させる構造としては、延長フレームがバッテリカバーの外面側に回転する構造を採用することも可能であるが、バッテリカバーの内面側に回転する構造を採用し、収納位置に位置する延長フレームがバッテリカバーを閉位置に位置させた時にバッテリカバーで隠されて外観が簡素になるようにすることが好ましい。
【００３２】
ところで、前記支持手段は、バッテリの移動荷重に対してバッテリカバーを開位置に保持すると共に延長フレームを延出位置に保持するように構成されていればよく、バッテリカバーと延長フレームとの長さ、剛性を考慮に入れて前記バッテリの移動荷重を支える箇所を決定すればよい。
【００３３】
例えば前記支持手段を、延出位置に位置する延長フレームの先端部を床又は地面に支承させる支持脚で構成したり、延出位置に位置する延長フレームの先端部を床又は地面に支承させる支持脚と、開位置に位置するバッテリカバーの先端部を床又は地面に支承させる支持脚とを備えるもので構成したり、延出位置に位置する延長フレームを車体に吊持させる吊持手段で構成したり、延出位置に位置する延長フレームと開位置に位置するバッテリカバーとを車体に吊持する吊持手段で構成したりすればよい。
【００３４】
本発明に係る他のバッテリカーのバッテリテーブルのその他の構成、作用ないし効果は、前記本発明に係るバッテリカーのバッテリテーブルのそれらと同様である。
【００３５】
【発明の実施の形態】
本発明の一実施例に係るバッテリカーのバッテリテーブルを図面に基づいて具体的に説明すれば、以下の通りである。
【００３６】
図３は本発明の一実施例をリーチ型バッテリフォークリフトに適用したものであり、このフォークリフト１は車体２の前部に左右のストラドルアーム３が設けられ、各ストラドルアーム３の前端部に回転自在に支持させたロードホイール４と、車体２の左後部に懸架された操舵輪兼駆動輪５と、車体２の右後部に懸架された自在車輪６とにより走行するように構成されている。
【００３７】
前記操舵輪兼駆動輪５は電動機からなる駆動モータで駆動され、荷役作業に使われるリーチシリンダ、リフトシリンダ７及びティルトシリンダに作動油を供給する油圧ポンプは別の電動機により駆動される。
【００３８】
このフォークリフト１にはこれら走行モータや油圧ポンプ駆動用電動機の他に、前記リーチシリンダ、リフトシリンダ１２及びティルトシリンダに給排される作動油の流路を切換える電磁方向切換弁、前照灯、尾灯、方向指示灯、制動灯、計器灯、警報灯などの灯火類、警音器などの電装部品が搭載されているが、これらの電装部品の全てに電力を供給するバッテリは、バッテリケース８に詰めて車体２の中間部に設けたバッテリルーム９に収納される。
【００３９】
このバッテリルーム９は車体２の左横側面に形成した出入口１０により車体２の外部に開放され、この出入口１０がバッテリテーブル１１と一体化されたバッテリカバー１２により開閉される。
【００４０】
図１はこのバッテリテーブル１１及びバッテリルーム９の正面図であり、図２はその平面図であり、これら図１と図２とに示すように、前記バッテリカバー１２は前記出入口１０を閉じる閉位置と上縁部が車体２の左横側（図面上、下）に水平に張出して前記出入口１０を開放する開位置とにわたって起伏するように、該バッテリカバー１２の下部が車体に枢着される。
【００４１】
ここでは、バッテリルーム９の前後面に支持させた支点軸１３にバッテリカバー１２の下部を回転可能に支持させているが、ヒンジを介してバッテリカバー１２の下端部をバッテリルーム９の底部に連結するようにしてもよい。
【００４２】
バッテリテーブル１１は、このバッテリカバー１２と、開位置に位置する該バッテリカバー１２の上側にフレーム１４を介して該バッテリカバー１２の張出し方向、即ち、左右方向に所定の間隔を置いて回転自在に設けられる所定数のフリーローラ１５と、該バッテリカバー１２を開位置に保持する支持手段１６とを備える。
【００４３】
この支持手段１６は、前記フレーム１４の先端部、即ち、バッテリカバー１２の上縁部側の端部に、左右の支点ピン１７を介して、バッテリカバー１２の面に沿う収納位置と、開かれたバッテリカバー１２の面に直角に突き出て、床Ｆ又は地面にバッテリカバー１２を支承させる支持位置とにわたってバッテリカバー１２の表側で９０°回転する支持脚からなり、必要に応じて設けられた位置決め手段１８により収納位置と支持位置とに位置決めされるようにしている。
【００４４】
図４はこの位置決め手段１８の側面図であり、この図４に示すように、この位置決め手段１８は、前記支持手段１６の側面に形成した半円形の位置決め溝１９と、前記支点ピン１７を中心にしてこの位置決め溝１９から９０°回転した位置に形成された円孔からなる位置決め孔２０と、この位置決め溝１９と位置決め孔２０とに選択的に嵌合させる位置決めピン２１とを備える。
【００４５】
図５はこの位置決めピン２１の断面図であり、この図５に示すように、前記位置決めピン２１は、前記フレーム１４に固定された内鍔付きシリンダ２２と、このシリンダ２２にその軸方向に摺動可能に内嵌された有底筒形のキャップ２３と、これらシリンダ２２及びキャップ２３の内部に挿入された圧縮コイルバネからなる付勢手段２４とを備え、前記キャップ２３に設けた外鍔２５をシリンダ２２の内鍔２６に受止めさせることによりキャップ２３がシリンダ２２から脱出しないようにしている。
【００４６】
この位置決め手段１８によれば、例えば支持手段１６を収納位置に位置させると、位置決め孔２０にキャップ２３が嵌り込むことにより、支持手段１６が収納位置に位置決めされる。
【００４７】
このキャップ２３を例えば指で支持手段１６よりもフレーム１４側に押し込めるとキャップ２３が位置決め孔２０から脱出して位置決めが解除され、この状態で支持手段１６を少し支持位置側に回転させながら指を離すと、キャップ２３が支持手段１６に受止められて、位置決め解除状態が保持されるようになる。
【００４８】
支持手段１６を支持位置に回転させると、キャップ２３が位置決め溝１９の中に飛出し、支持手段１６が支持位置に位置決めされる。
【００４９】
支持位置に位置決めされた支持手段１６を収納位置に移動させて位置決めするには、位置決め溝１９に嵌合しているキャップ２３を押し込み、支持手段１６を収納位置側に回転させながら指を離し、更に支持手段１６を収納位置に回転させればよく、支持手段１６が収納位置に位置すれば、キャップ２３が位置決め孔２０に飛び込んで支持手段１６を収納位置に位置決めする。
【００５０】
図１に示すように、バッテリルーム９内の底部には、バッテリケース８の出し入れを容易にするため、例えばバッテリテーブル１１のフリーローラ１５と同じ間隔で所定数のフリーローラ２７が配置され、又、バッテリケース８の右端面を受止めるストッパ２８が設けられている。更に、前記支持手段１６を収納位置に位置決めしてバッテリカバー１２を閉位置に位置させると、前記バッテリテーブル１１のフリーローラ１５がバッテリケース８の左側面を受止めるようにしている。
【００５１】
ところで、図１に示すように、このフォークリフト１には、バッテリカバー１２を閉位置にロックするロック手段２９が設けられ、このロック手段２９はラッチ式ドアキー装置３０と、キープレート３１とで構成される。
【００５２】
図２に示すように、前記ラッチ式ドアキー装置３０は、バッテリカバー１２の扉先部分の内側に支持されるカバーケース３２と、このカバーケース３２から扉先側に突出させたラッチ爪３３とを備え、このラッチ爪３３はその突出方向に進退可能にカバーケース３２に支持され、このカバーケース３２に内蔵されたスプリングで施錠位置に進出付勢される。
【００５３】
図１に示す前記キープレート３１は、ラッチ爪３３が嵌り込むキー孔を備え、バッテリカバー１２を閉位置に閉じる間際に前記ラッチ爪３３がキープレート３１に案内されて施錠位置から開錠位置に押込められ、バッテリカバー１２が閉位置に位置すると、ラッチ爪３３がキー孔に嵌って開錠位置から施錠位置に復帰し、バッテリカバー１２が閉位置に自動ロックされる。
【００５４】
図３に示すように、バッテリカバー１２の表面側には、前記ロック手段２９のロック作用を車体２外から操作して解除するために、前記ラッチ式ドアキー装置３０のドアハンドルからなる解除手段３４が設けられる。
【００５５】
もっとも、前記ロック手段２９のロック作用を車体２外から操作して解除するということには、車体２外から手を差込んで、例えばバッテリカバー１２車体２内に隠されている操作具を操作してロック作用を解除することも含まれ、この場合には、車体２内に解除手段が設けられ、例えばバッテリカバー１２にはその解除手段を操作するために手を差込む開口部が設けられることになる。
【００５６】
さて、以上に説明したように、このリーチ型バッテリフォークリフト１のバッテリテーブル１１は、下部を車体２に回転可能に支持させたバッテリカバー１２の内側にフレーム１４を介してローラ１５を支持させたものであるから、不使用時には、バッテリカバー１２を閉位置にして車体２内に搭載される。このため、不使用時にバッテリテーブル１１を保管する特別の保管場所は不要になる。
【００５７】
又、バッテリカバー１２を開閉する時には、バッテリテーブル１１にはバッテリ及びバッテリケース８の重量は掛らず、バッテリカバー１２と一体になっているバッテリテーブル１１を煽って開閉するだけでよいので、人力で、容易に、しかも、短時間で設置及び撤去ができる。
【００５８】
更に、バッテリルーム９内の構造は、一般的な従来のリーチ型バッテリフォークリフトのそれと同様であるので、特殊型のバッテリケースや、ローラ付きの台などを用いる必要がなく、又更に、車体２を車高の高い特殊型にする必要がないので、設備費用を増大させずにすむ。
【００５９】
図６は本発明の他の実施例に係るリーチ型バッテリフォークリフトのバッテリテーブル１１及びバッテリルーム９の正面図であり、この実施例では、支持脚からなる支持手段１６が開位置に位置するバッテリカバー１２の上側から扉先方、即ち左方を回って下側まで２７０°回転するように設けられている。
【００６０】
又、図７はバッテリルーム９の縦断側面図であり、この図７と図６とに示すように、バッテリルーム９内のローラ２７及びこれを支持するフレーム３４は昇降可能に設けられる。
【００６１】
図６に示すように、バッテリルーム９内の底部には、それぞれ軸３５を中心にして前後軸心回りに回転するカムプレート３６が左右に適当な間隔を置いて配置され、前記フレーム３４がこれらのカムプレート３６に設けたカムポイント軸３７に支承される。
【００６２】
左のカムプレート３６をリンクバー３８によりバッテリカバー１２に連繋させ、右のカムプレート３６を別のリンクバー３９により左のカムプレート３６に連繋させ、バッテリカバー１２を開くと、図７の１点鎖線から左側に示すように、前記フレーム３４及びローラ２７が上昇してローラ２７上にバッテリケースが乗り、バッテリカバー１２を閉じると、図７の１点鎖線から右側に示すように、前記フレーム３４及びローラ２７が下降するようにしている。
【００６３】
図７に示すように、前記フレーム３４の前後両外側にはローラ２７が下降する途中でバッテリケース８を受止める支承枠４０が設けられ、バッテリカバー１２を閉位置に位置させた状態でローラ２７をバッテリケース８の底面から離隔させることにより、バッテリ及びバッテリケース８の重量でローラ２７の円周面が平面に変形することを防止している。
【００６４】
又、バッテリケース８を支承枠４０に受止めることにより、バッテリケース８と支承枠４０との間の制止摩擦によりバッテリケース８が前後及び左右に横移動することが防止され、安全性が高められる。
【００６５】
この実施例のその他の構成、作用ないし効果は前例のそれらと同様である。
【００６６】
図８は本発明の又他の実施例に係るリーチ型バッテリフォークリフトのバッテリテーブルの正面図であり、この実施例では、バッテリカバー１２に固定されたフレーム１４の先端部に延長フレーム４１がヒンジ４２を介して枢着され、この延長フレーム４１を展開することにより、バッテリカバー１２よりも更に左方に延長フレーム４１を張出させるようにしている。
【００６７】
バッテリカバー１２から張出させた延出位置に位置する延長フレーム４１の先端には別の支持脚１６ａが設けられ、この支持脚１６ａとバッテリカバー１２の先端部を支持する支持脚１６ｂとで支持手段１６が構成される。
【００６８】
バッテリケース８をバッテリルーム９から引出す前に、ロック手段２９のロック機能を解除し、バッテリカバー１２を左側に煽り倒し、支持脚１６ｂを支持位置に位置決めしてバッテリカバー１２を開位置に位置させる。この後、延長フレーム４１を１８０°回転させて延出位置に位置させ、更にこの後、支持脚１６ａを支持位置に位置決めすることによりフレーム１４と延長フレーム４１とが一直線状になり、バッテリルーム９内からバッテリケース８をフレーム１４及び延長フレーム４１の上に引出せるようになる。
【００６９】
前記延長フレーム４１にはフリーローラ４３が張出し方向に適当な間隔を置いて回転自在に支持させてあり、バッテリルーム９から引出された（あるいはこれからバッテリルーム９に押し込む）バッテリケース８がバッテリテーブル１１の上、即ち、展開された延長フレーム４１及びフレーム１４に支持させたフリーローラ１５、４３の上に乗る。
【００７０】
展開された延長フレーム４１及びフレーム１４の上からバッテリルーム９にバッテリケース８を押し込んだ後、支持脚１６ａを延長フレーム４１に沿う収納位置に回転させ、位置決め手段１８により収納位置に位置させてから、延長フレーム４１を開位置に位置するバッテリカバー１２の上に横たわる収納位置に回転させ、更に、この後、バッテリカバー１２を閉位置に回転させると、ロック手段２９によりバッテリカバー１２が閉位置に自動ロックされる。
【００７１】
このように、延長フレーム４１を設け、バッテリカバー１２よりも更に左横側方にバッテリテーブル１１を張り出させると、バッテリカバー１２の高さよりも左右幅方向の長さが長いバッテリケース８全体をバッテリテーブル１１で支えることができ、作業者が安心してバッテリの点検作業、保守作業、交換作業などを行える。
【００７２】
この実施例のその他の構成、作用ないし効果は前記一実施例のそれらと同様である。
【００７３】
【発明の効果】
以上に説明したように、本発明に係るバッテリカーのバッテリテーブルは、前記バッテリカバーが前記出入口を閉じる閉位置と上縁部が車体の一横側に水平に張出して前記出入口を開放する開位置とにわたって起伏するように、該バッテリカバーの下部が車体に枢着され、このバッテリカバーと、開位置に位置する該バッテリカバーの上側に該バッテリカバーの張出し方向に所定の間隔を置いて回転自在に設けられる所定数のローラと、該バッテリカバーを開位置に保持する支持手段とを備えるので、以下の作用と効果とを得ることができる。
【００７４】
先ず、バッテリテーブルがバッテリカバーと一体になって車体に搭載されるので、別にバッテリテーブルを設ける必要がないという作用を得ることができ、この作用により、バッテリテーブルを保管する特別の保管場所が不要になるという効果や、どこでもバッテリテーブルを設置してバッテリの点検作業、保守作業、交換作業などができるようになるという効果を得ることができる。
【００７５】
又、バッテリカバーやこれに支持させたローラにはバッテリ及びバッテリケースの重量が掛らない状態でバッテリカバーを開閉できるという作用が得られるので、人力で簡単に、かつ短時間でバッテリテーブルの設置及び撤去（収納）ができるという効果を得ることができる。
【００７６】
更に、バッテリルーム内の構造は従来の一般的なバッテリカーのそれと同様に構成できるという作用が得られるので、特殊型のバッテリケースや下側にローラを設けた特殊な台が不要になり、バッテリケース及びその周辺部のコストアップを無くすことができるという効果が得られると共に、バッテリケースの高さを増大させる必要がないので、車高を高くする必要がなく、車高の高い特殊型のものに比べて車体の価格を安価にすることができるという効果を得ることが出きる。
【００７７】
又、本発明に係る他のバッテリカーのバッテリテーブルは、前記バッテリカバーが前記出入口を閉じる閉位置とその上縁部が車体の一横側に水平に張出して前記出入口を開放する開位置とにわたって起伏するように、該バッテリカバーの下部が車体に枢着され、このバッテリカバーと、開位置に位置する該バッテリカバーの上側に収納される収納位置と開かれた該バッテリカバーの一横側方に更に張出す延出位置とにわたって移動するように該バッテリカバーに支持させた延長フレームと、開位置に位置する前記バッテリカバー及び延出位置に位置する前記延長フレームの上側にこれらの張出し方向に所定の間隔を置いて回転自在に設けられる所定数のローラと、前記バッテリカバーを開位置に保持すると共に、前記延長フレームを延出位置に保持する支持手段とを備えるので、前記本発明に係るバッテリカーのバッテリテーブルにより得られる作用や効果に加えて、以下の作用と効果を得ることができる。
【００７８】
即ち、延長フレームをバッテリカバーよりも更に一横側方に張出して、延長フレームとバッテリカバーの上にバッテリケースを乗せることができるので、バッテリカバーの高さよりも長いバッテリケース全体をバッテリテーブルに載せることができるという作用が得られるので、作業者が安心してバッテリの点検作業、保守作業、交換作業などをすることができるという効果を得ることができる。
【図面の簡単な説明】
【図１】本発明の正面図である。
【図２】本発明の平面図である。
【図３】本発明を備えるリーチ型バッテリフォークリフトの側面図である。
【図４】本発明の正面図である。
【図５】本発明の横断平面図である。
【図６】本発明の正面図である。
【図７】本発明の縦断側面図である。
【図８】本発明の正面図である。
【符号の説明】
２　車体
８　バッテリケース
９　バッテリルーム
１０　出入口
１１　バッテリテーブル
１２　バッテリカバー
１５　ローラ
１６　支持手段
１６ａ　支持脚
１６ｂ　支持脚
２９　ロック手段
３４　解除手段
４１　延長フレーム
４３　ローラ
【図１】
2004091081.tif 000003
【図２】
2004091081.tif 000004
【図３】
2004091081.tif 000005
【図４】
2004091081.tif 000006
【図５】
2004091081.tif 000007
【図６】
2004091081.tif 000008
【図７】
2004091081.tif 000009
【図８】
2004091081.tif 000010